(57)【要約】【課題】予測モデルの普遍性や説明性を維持できる水需要の予測方法を実現することができる水需要予測方法およびシステムを提供する。【解決手段】給水区域における水需要予測方法であって、モデルを用いた給水区域の属性データの統計処理により、水需要量と相関関係を有する説明変数候補を抽出し、水需要に対して原因と結果の関係となる因果関係を有する前記説明変数候補を選定し、選定した因果関係によりモデルを再構築し、再構築したモデルにより水需要量を予測することを特徴とする水需要予測方法。【選択図】図１
2020112847.tif 000002
【特許請求の範囲】
【請求項１】
給水区域における水需要予測方法であって、
モデルを用いた給水区域の属性データの統計処理により、水需要量と相関関係を有する説明変数候補を抽出し、水需要に対して原因と結果の関係となる因果関係を有する前記説明変数候補を選定し、選定した因果関係により前記モデルを再構築し、再構築したモデルにより前記水需要量を予測することを特徴とする水需要予測方法。
【請求項２】
請求項１に記載の水需要予測方法であって、
前記統計処理により水需要量と相関関係を有する説明変数候補を抽出するにあたり、水需要量とその説明変数候補のデータセットを所定のアルゴリズムによって学習することを特徴とする水需要予測方法。
【請求項３】
請求項１に記載の水需要予測方法であって、
前記因果関係を有する前記説明変数候補を選定するにあたり、原因と結果の関係である因果関係を有するか否かを統計的に検定することを特徴とする水需要予測方法。
【請求項４】
請求項１に記載の水需要予測方法であって、
前記モデルを再構築するにあたり、選定された前記説明変数候補を用いて前記モデルの係数を調整することを特徴とする水需要予測方法。
【請求項５】
請求項１に記載の水需要予測方法であって、
前記水需要量の予測結果を前記給水区域のマップ上に示す表示することを特徴とする水需要予測方法。
【請求項６】
請求項１に記載の水需要予測方法であって、
前記給水区域の水道管路に配置された計測用メータからのデータを取得することを特徴とする水需要予測方法。
【請求項７】
給水区域における水需要予測システムであって、
モデルを用いた給水区域の属性データの統計処理により水需要量と相関関係を有する説明変数候補を抽出する統計処理手段と、水需要に対して原因と結果の関係となる因果関係を有する前記説明変数候補を選定する因果関係選定手段と、選定した因果関係により前記モデルを再構築し、再構築したモデルにより前記水需要量を予測するモデル再構築手段を有することを特徴とする水需要予測システム。
【請求項８】
請求項７に記載の水需要予測システムであって、
前記統計処理手段は、水需要量とその説明変数候補のデータセットを所定のアルゴリズムによって学習する工程を含むことを特徴とする水需要予測システム。
【請求項９】
請求項７に記載の水需要予測システムであって、
前記因果関係選定手段は、原因と結果の関係である因果関係を有するか否かを統計的に検定する工程を含むことを特徴とする水需要予測システム。
【請求項１０】
請求項７に記載の水需要予測システムであって、
前記モデル再構築手段は、前記因果関係選定手段で選定された説明変数を用いた予測モデルの係数を調整する工程を含むことを特徴とする水需要予測システム。
【請求項１１】
請求項７に記載の水需要予測システムであって、
水需要予測結果を該給水区域のマップ上に表示する表示手段を有することを特徴とする水需要予測システム。
【請求項１２】
請求項７に記載の水需要予測システムであって、
該給水区域の水道管路に配置された計測用メータからのデータを取得するデータ取得手段を有することを特徴とする水需要予測システム。
【発明の詳細な説明】
【技術分野】
【０００１】
本発明は、水道システムの給水区域における水需要を予測する水需要予測方法およびシステムに係り、特に年単位や月単位での長期の時間スケールでの予測を行うに際して、水需要量とその説明変数との因果関係を担保できる解析技術（アナリティクス）を応用した水需要予測方法およびシステムに関する。
【背景技術】
【０００２】
基本的な社会インフラである水道システムは、水需要家（市民や事業所など）が必要とする水道水を安定して給水する役割を果たしている。
【０００３】
水道システムは、貯水、取水、導水、浄水、送水、配水の施設から構成されており、これらの施設規模に見合った相当額の投資が必要となる。このため、水道事業体は５〜２０年程度先までの長期的な水需要量の予測を実施し、将来的に施設規模の過不足が起こらないかどうかを把握するために、施設整備水準の評価を実施しているのが一般的である。
【０００４】
水需要量の構成は、おもに生活用水と都市活動用水の２つに大別される、前者は給水人口の増減や住民の節水意識などに影響される。また、後者は給水区域に存在する事業所の構成、景気動向に伴う生産活動の変化などの影響を受ける。
【０００５】
長期水需要予測においては、こうした需要構造の変化を説明できるデータを用いて、予測モデルを構築するのが一般的である。従来の予測方法では、水道事業体が有する水需要構造に関する知見に基づいて目的変数である水需要量に影響するデータ項目（説明変数）の候補を抽出し、回帰分析などの統計的な手法で説明変数を選定するやり方が一般的である。
【０００６】
また、昨今においては、情報通信技術（Ｉｎｆｏｒｍａｔｉｏｎ  Ｃｏｍｍｕｎｉｃａｔｉｏｎ  Ｔｅｃｈｎｏｌｏｇｙ；ＩＣＴ）や物のインターネット（Ｉｎｔｅｒｎｅｔ  ｏｆ  Ｔｈｉｎｇｓ；ＩｏＴ）の進展により、取得できるデータの種類と量が飛躍的に拡大しており、これらのデータを活用するビッグデータ解析が普及しつつある。
【０００７】
水道システムの分野も、こうした動きの例外ではなく、各施設や水道システムの外部から得られるデータを水需要予測を含む各種の水道業務に活用する事例が出てきている。水需要増減に影響する可能性があるデータを多数の種類、かつ大量に活用できることから、これまでの知見にはなかった影響因子が見つかり、より確度の高い予測や様々な将来シナリオ（想定する将来の影響因子の動き）での予測を実施できる可能性が期待される。
【０００８】
こうした期待の一方で、ビッグデータ解析の実用上の欠点が懸念されている。すなわち、ビッグデータ解析においては、統計的な処理により、着目する目的変数と説明変数の相関関係を評価し、所定の相関レベル以上の説明変数を選定して、予測モデルを構築するアプローチがなされる。
【０００９】
このようなアプローチの場合、目的変数と説明変数が表わす事象間の見かけの相関関係は担保されるものの、現象論的な原因と結果の関係である「因果関係」を有するかどうかを担保することが難しい。見かけの相関に基づく予測モデルでも所定の実用性を満足できるケースもあるが、確度の高い予測ができなかった場合のモデル再構築や、予測結果の普遍性の確保が困難である。加えて、基本的な社会インフラである水道システムなどでは、予測結果や予測モデルの根拠についての説明責任を果たすことが強く要請されるため、実用上の制約が大きい。
【００１０】
こうした説明責任や予測確度向上に対する要請に対して、例えば、特許文献１に示されている予測方法においては、予測モデル構築にあたって、目的変数に影響する特徴量と説明変数に影響する特徴量を区別した特徴集合を予め準備し、特徴量（影響因子）の選定を適正化する方法が開示されている。このような方法により、予測に関して事前に有している知見の範囲内においては、選定された特徴量間の因果関係を担保できるとされている。
【先行技術文献】
【特許文献】
【００１１】
【特許文献１】ＰＣＴ／ＪＰ２０１７／００６６４
【発明の概要】
【発明が解決しようとする課題】
【００１２】
水道システムにおける長期水需要予測は、長期的な安定給水に向けた施設更新・拡張または縮小の計画を策定し、必要な投資を実施するために重要である。前述したとおり、多種類で大量のデータを予測に活用するビッグデータ解析は、予測の確度と評価する将来シナリオに多様性を持たせるために有効である。また、統計解析による相関分析をベースとした予測モデルの構築には、見かけの相関を用いることによる普遍性の確保や需要構造が変化した際のモデル再構築に課題を有しているが、これに対しては前述した特許文献１などに開示されている方法によって、より普遍性を高め、予測モデルのロジックや予測結果に説明責任が果たしやすくできるような工夫が試みられている。
【００１３】
しかしながら、特許文献１で例示したような先行技術においては、予測に関して事前に有している知見の範囲内でしか因果関係の有無を確認することができず、知見の範囲を越える新たな因果関係に対応することが困難なケースが避けられないという課題を有している。昨今の適用検討が進んでいるビッグデータ解析においては、多数の種類のデータを大量に活用することで、従来知見の範囲を越えた新しい知見を得ることが主たる適用の目的であることを鑑みると、その効果を大きく減ずるものとなってしまう。
【００１４】
本発明は、このような課題に鑑みてなされたものであり、予測モデルの普遍性や説明性を維持できる水需要の予測方法を実現することができる水需要予測方法およびシステムを提供するものである。
【課題を解決するための手段】
【００１５】
水道システムの給水区域における水需要動向が経年変化する状況において、安定給水を維持するためには、適切な施設整備計画などを策定することが重要である。施設整備計画などに向けた最重要な基本情報である長期的な水需要量は、合理的かつ予測確度が高く、さらに予測モデルの普遍性や説明性に優れた方法で実施される必要がある。
【００１６】
本発明では、水需要予測に関する従来知見の範囲を越えた新たな知見を抽出できる可能性を有するビッグデータ解析の利点を生かしつつ、抽出された新たな知見の候補が現象論的な原因と結果の関係である「因果関係」を有するか否かを確認する手段によって、上記の課題を解消するものである。本発明では複数の実現手段を含んでいるが、その一例を以下に挙げる。
【００１７】
以上のことから本発明においては「給水区域における水需要予測方法であって、モデルを用いた給水区域の属性データの統計処理により、水需要量と相関関係を有する説明変数候補を抽出し、水需要に対して原因と結果の関係となる因果関係を有する前記説明変数候補を選定し、選定した因果関係によりモデルを再構築し、再構築したモデルにより水需要量を予測することを特徴とする水需要予測方法」のようにしたものである。
【００１８】
また本発明は、「給水区域における水需要予測システムであって、モデルを用いた給水区域の属性データの統計処理により水需要量と相関関係を有する説明変数候補を抽出する統計処理手段と、水需要に対して原因と結果の関係となる因果関係を有する説明変数候補を選定する因果関係選定手段と、選定した因果関係によりモデルを再構築し、再構築したモデルにより水需要量を予測するモデル再構築手段を有することを特徴とする水需要予測システム」のようにしたものである。
【発明の効果】
【００１９】
本発明によれば、水需要に関連する多数の種類のデータを大量に活用しながら、予測モデルの普遍性や説明性を損なう見かけの相関関係に基づく説明変数を排除し、正しい因果関係に基づく説明変数により、予測の確度と説明性を確保できる長期水需要予測方法を実現することができる。
【図面の簡単な説明】
【００２０】
【図１】本発明による長期水主要予測システムの構成例を示す図。
【図２】統計処理手段の処理フロー例を示す図。
【図３】因果関係選定手段の処理フロー例を示す図。
【図４】因果関係選定の概要を説明する図。
【図５】予測モデル再構築手段の処理フロー例を示す図。
【図６】予測実行手段の処理フロー例を示す図。
【発明を実施するための形態】
【００２１】
以下、図面を用いて本発明の実施例について説明する。
【実施例】
【００２２】
本発明では、給水区域における長期水需要予測方法、およびそのシステムの例を説明する。
【００２３】
図１は、本発明による水需要予測システム１００の構成例を示す図である。ここでの予測対象は、水道事業体が保有する貯水、取水、導水、浄水、送水、配水の施設から構成される水道システムの給水区域における水需要量である。水需要予測の主な目的は、水道システムの将来的な整備計画や運用計画を策定することであるため、予測の時間的なスケールは月単位また年単位となる。本発明の特徴となる水需要予測システム１００は、給水区域データベースＤＢ、水需要予測手段３００、および表示手段８００を含んでいる。
【００２４】
このうち給水区域データベースＤＢには、給水区域に関するデータ（給水区域の属性データ）が保存されている。水需要に関連するデータ項目としては、給水量、給水人口、事業所の業種や売上げ規模などが基本情報となる。また、給水人口の増減に関連するデータ項目として、年齢別の人口構成やインバウンド旅行者などの居住外人口などが用いられる。事業所の水需要動向に関連するデータ項目としては、給水区域が属する地域の景気動向、業種別の鉱工業生産指数なども用いられる。さらに、給水区域における都市開発計画などに関するデータも用いることができる。例えば、都市開発計画での工業団地整備計画は、事業所の水需要に反映される。また、水需要に影響する気温なども含めた気象情報、給水区域内での各種イベント情報なども活用が可能である。さらに、給水区域データベースＤＢへのデータソースとして、給水区域内に配置されたスマートメータからの計測情報（流量、水質など）を活用することが望ましい。
【００２５】
給水区域データベースＤＢには、これらのデータ項目について、実績値、将来予測値、想定するシナリオでの仮定値などを準備する。また、これらのデータについては、給水区域の地理的な区分、たとえば、行政境界または給水ブロックなどの区分、もしくは多くの地域情報が提供されているデータ形式であるメッシュ区分でデータが準備されていることが望ましい。
【００２６】
なお給水区域データベースＤＢは、上記した入力データ以外に、計算機により構成される水需要予測システム１００における各種演算の結果としての中間生成物である中間データや、最終成果物である出力データを記憶するものであってもよい。
【００２７】
水需要予測システム１００内の水需要予測手段３００は、給水区域データベースＤＢのデータを用いて水需要予測を行う手段から構成される。主たる手段は、統計処理手段４００、因果関係選定手段５００、予測モデル再構築手段６００、および予測実行手段７００の４つである。それぞれの手段の詳細は後述する。
【００２８】
表示手段８００は、給水区域データベースＤＢのデータや水需要予測手段３００での予測結果を可視化する機能を有している。具体的には、計算機システムのディスプレイに所定のグラフィカルユーザーインターフェース（Ｇｒａｐｈｉｃａｌ  Ｕｓｅｒ  Ｉｎｔｅｒｆａｃｅ；以下ＧＵＩという）を介して、データや予測結果を可視化するものである。
【００２９】
以上が水需要予測システム１００の概要である。次に、本発明の技術的な特徴を実現する手段である水需要予測手段３００の具体的な実施工程例を説明する。
【００３０】
図２は、統計処理手段４００の処理フロー例を示している。この手段は、機械学習や相関分析などのアナリティクスの適用により、目的変数である水需要量に対する説明変数（影響因子）の候補を抽出し、予測モデルを構築するものである。ここでの各工程は、適宜、給水区域データベースＤＢや表示手段８００とのデータ入出力を行いながら実行する。
【００３１】
最初の統計モデル選定工程４１０では、水需要の予測モデルを構築する際のモデルの種類を予め準備した候補の中から、水需要予測システム１００の実行者が選定する。予め準備するモデルの種類としては、例えば、線形回帰モデル、非線形回帰モデル、ニューラルネットワークモデル、カルマンフィルターモデルなどが代表的なものであるが、これらに限定されるものでない。
【００３２】
モデル調整アルゴリズム選定工程４２０では、統計モデル選定工程４１０で選定したモデルで水需要量を定式化するためのアルゴリズムを選定する。ここでの選定は、予め準備されたアルゴリズムの中から、水需要予測システム１００の実行者が選定する。例えば、回帰モデルに対しては最小二乗法などの統計アルゴリズムが、またニューラルネットワークモデルに対しては誤差逆伝播法などの機械学習アルゴリズムなどが適用可能である。また、アルゴリズムの適用条件（パラメータ値、アルゴリズム演算終了条件など）も本工程で設定する。
【００３３】
データセット読み込み工程４３０においては、上述のアルゴリズムによって予測モデルを構築するために必要なデータセットが給水区域データベースＤＢから読み込まれ、計算機上のソフトウェアで演算ができる状態とする。
【００３４】
さらに、次のアルゴリズム実行工程４４０では、選定したモデルとアルゴリズムにデータセットを用いて、水需要予測モデルを構築するための演算を実行する。確認判断工程４４１では、当該データセットを用いて予測モデルの精度を評価し、目標精度をクリアしていれば次の工程であるモデルパラメータ出力工程４５０へ、目標精度をクリアできていなければ、前段の統計モデル選定工程４１０に戻って、選定するモデルやアルゴリズム、アルゴリズムの適用条件を変更して演算を繰り返す。この繰り返し工程により、予め準備されたモデルの種類のなかから、精度的条件を満足するモデルが選定される。
【００３５】
最後のモデルパラメータ出力工程４５０では、アルゴリズム実行で得られたモデルパラメータを給水区域データベースＤＢに出力し、例えば中間生成物として記憶する。ここでのモデルパラメータとは、例えば、回帰モデルに対しては回帰係数、ニューラルネットモデルに対しては重み係数などである。
【００３６】
以上が、統計処理手段４００の全体の処理フローの説明である。図２の実施例における一連の手順を通じて実行される統計処理手段４００の機能は、モデルを用いた給水区域の属性データの統計処理により水需要量と相関関係を有する説明変数候補を抽出するものということができる。特に統計処理手段４００は、水需要量とその説明変数候補のデータセットを所定のアルゴリズムによって学習する工程を含むものである。
【００３７】
図３は、因果関係選定手段５００の処理フロー例を示している。この手段は前述した統計処理手段４００で得られた水需要予測モデルの説明変数が、水需要量に対しての見かけの相関関係だけでなく、因果関係を有しているかどうかを判定し、選定する機能を実現するものである。たとえば、モデルの説明性が低く、ブラックボックスモデルであると云われているニューラルネットモデルの学習内容を可視化し、さらに学習内容が現象論的に正しいか否か（正しい因果関係であるか否か）を判定し、正しい説明変数の選定が可能となる。
【００３８】
図４は、因果関係選定の概要を説明する図である。ビッグデータ解析に代表されるような統計処理においては、多数の相関関係が抽出される。たとえば、図４中の相関関係についての散布図の例に示すように、所定人数が所定期間に必要とする水需要量を意味する水需要原単位（横軸）は、給水地区最高気温（縦軸）と正の相関関係を示すことが一般的に知られている。
【００３９】
この事例に関して、水需要に関する知見を用いずに解釈すると、水需要原単位が増加すると給水地区最高気温が上昇するという因果関係の候補が抽出される可能性がある。この解釈では、水需要原単位が原因であり、給水地区最高気温が結果を示すという因果関係である。
【００４０】
しかしながら、本来抽出されるべき正しい因果関係は、給水地区最高気温が上昇すると水需要原単位が増加する、というものである。給水地区最高気温が原因であり、水需要原単位が結果を示すという因果関係である。
【００４１】
正しい因果関係に基づかない解釈は、普遍性が無いばかりでなく、その説明も困難なケースが多い。因果関係選定手段５００は、本例のような不適切な因果関係を排除し、予測モデル構築に用いる因果関係の正しさを担保するための機能を提供するものである。
【００４２】
図４に示したような事例において正しい因果関係のものを選定するために、図３の因果関係選定手段５００は、以下のように機能する。
【００４３】
まずモデルパラメータ読み込み工程５１０では、統計処理手段４００から出力されたモデルパラメータを給水区域データベースＤＢから読み込む処理を行い、以降の工程に利用できるようにする。
【００４４】
モデルパラメータ分析工程５２０では、モデルパラメータを分析することで、予測モデル内に獲得されたデータ項目間の関係を定量化する。具体的には、回帰モデルの回帰係数やニューラルネットワークモデルの重み係数によって、目的変数である水需要量と説明変数との相関関係を評価する。
【００４５】
回帰係数の場合は、係数の絶対値の大小が相関関係の強弱を示しており、係数の符号が相関関係の正負を示している。また、重み係数の場合は、入力層の入力ニューロンから中間層の隠れニューロンを経て、出力層の出力ニューロンに至る経路の重み係数の積和値で分析することができる。この積和値の絶対値の大小が相関関係の強弱を示しており、積和値の符号が相関関係の正負を示している。本工程では、ここで例示したような分析によって、次工程で判定すべき相関関係を抽出することができる。
【００４６】
次の因果関係判定工程５３０では、モデルパラメータ分析工程５２０での分析で抽出された因果関係が現象論的に正しい因果関係であるかどうかを判定する。ここでの判定の代表的な手法としては、現象論に関する知見を用いる手法と統計的な手法の２つに大別される。
【００４７】
知見を用いる手法として、予め準備した因果関係リストを用いて、バックドア基準法などを適用することができる。また、統計的な手法としては、ランダム化比較試験法などを適用することができる。目的変数Ｙと説明変数Ｘが見かけの相関関係を有している場合、Ａ：説明変数Ｘが目的変数Ｙに影響を与えている、Ｂ：目的変数Ｙが説明変数Ｘに影響を与えている、Ｃ：Ｚという第３の変数が説明変数Ｘと目的変数Ｙの両方に影響を与えている、という３つのケースが存在する。この３つのうち、予測モデルに反映すべき正しい因果関係はＡである。上述の手法により、モデルパラメータ分析工程５２０で得られた複数の相関関係のうち、どれがケースＡであるかを判定することができる。
【００４８】
モデルパラメータ選定工程５４０では、因果関係判定工程５３０で正しい因果関係と判定されたデータ項目に対応するモデルパラメータのみを選定する。また、正しい因果関係と判定された全てのデータ項目ではなく、予め設定したしきい値よりも相関関係が強い項目、または相関関係の上位の所定数に相当する項目のみを選定することもできる。
【００４９】
さらに、最後の選定結果出力工程５５０では、選定されたデータ項目とモデルパラメータを給水区域データベースＤＢに出力し、中間生成物として記憶する。
【００５０】
以上が因果関係選定手段５００の全体の処理フローの説明である。図３、図４の実施例における一連の手順を通じて実行される因果関係選定手段５００の機能は、水需要に対して原因と結果の関係となる因果関係を有する該説明変数候補を選定するものということができる。特に因果関係選定手段５００は、原因と結果の関係である因果関係を有するか否かを統計的に検定する工程を含むものである。
【００５１】
図５は、予測モデル再構築手段６００の処理フロー例を示す図である。この手段６００では、因果関係選定手段５００で選定されたデータ項目のみを用いて、予測モデルを再構築する。
【００５２】
図５の選定モデルパラメータ読み込み工程６１０では、選定されたデータ項目のモデルパラメータを給水区域データベースＤＢから読み込む。また、データセット読み込み工程６２０では、選定されたデータ項目のデータセットを給水区域データベースＤＢから読み込む。
【００５３】
アルゴリズム実行工程６３０では、対象とする予測モデルに対応したアルゴリズムを読み込んだデータセットに適用する。ここでのアルゴリズムは、前述のとおり、回帰モデルに対しては最小二乗法などが、ニューラルネットモデルに対しては逆誤差伝播法などを適用することになる。これにより、選定されたデータ項目だけを用いて予測モデルを再構築した場合のモデルパラメータを得ることができる。
【００５４】
最後のモデルパラータ出力工程６４０では、得られたモデルパラメータを給水区域データベースＤＢに出力し、中間生成物として記憶する。
【００５５】
以上が予測モデル再構築手段６００の全体の処理フローの説明である。図５の実施例における一連の手順を通じて実行される予測モデル再構築手段６００の機能は、選定した因果関係によるモデルを再構築するものということができる。特に予測モデル再構築手段６００は、因果関係選定手段５００で選定された説明変数を用いた予測モデルの係数を調整する工程を含むものである。
【００５６】
図６は、予測実行手段の処理フロー例を示す図である。この手段７００では、正しい因果関係を持つ説明変数のみで再構築された予測モデルを用いて水需要予測を実行する。
【００５７】
再構築モデルパラメータ読み込み工程７１０では、予測モデル再構築手段６００から出力されたモデルパラメータを給水区域データベースＤＢから読み込んで、以降の工程での演算に利用可能な状態とする。ここでいうモデルパラメータとは、回帰モデルの場合には回帰係数、ニューラルネットモデルの場合には重み係数を指す。また、モデル実行に必要な実行条件（演算回数、演算終了条件など）も本工程で読み込まれる。
【００５８】
データセット読み込み工程７２０では、予測モデル実行に必要なデータセットを給水区域データベースＤＢから読み込む。具体的には、説明変数に相当するデータ項目の予測期間に対応する時系列データである。
【００５９】
予測モデル演算実行工程７３０では、モデルパラメータとデータセットにより予測モデルを実行し、予測期間に対応する水需要量を演算する。
【００６０】
また、最後の予測結果出力工程７４０では、予測モデル演算実行工程７３０で演算された水需要量の予測結果を給水区域データベースＤＢに出力し、出力データとして記憶する。給水区域データベースＤＢに保存された予測結果は、適宜、表示手段８００のＧＵＩ上で可視化し、水需要予測システム１００の実行者に提示する。
【００６１】
以上の図６に示す一連の手順を通して実行される予測実行手段７００の機能は、再構築したモデルにより水需要量を予測するものである。
【００６２】
以上が本発明の特徴である水需要予測システム１００の機能と動作に関する代表的な実施例の説明である。
【符号の説明】
【００６３】
１００：水需要予測システム
ＤＢ：給水区域データベース
３００：水需要予測手段
４００：統計処理手段
５００：因果関係選定手段
６００：予測モデル再構築手段
７００：予測実行手段
８００：表示手段
【図１】
2020112847.tif 000003
【図２】
2020112847.tif 000004
【図３】
2020112847.tif 000005
【図４】
2020112847.tif 000006
【図５】
2020112847.tif 000007
【図６】
2020112847.tif 000008